(57)【特許請求の範囲】
【請求項１】
長手方向に延びかつその表面上を滑る指紋を読取る線状の検知領域が形成されたラインセンサを含む平板状のラインセンサユニット、
前記ラインセンサユニットを前記長手方向の両端で支持する、弾性を有する支持部材、
前記ラインセンサユニットの下方において前記長手方向に配置され、前記支持部材の弾性に抗して前記ラインセンサユニットが押し下げられたとき作動する複数のスイッチ、
前記ラインセンサユニットの出力に基づく処理を実行する第１処理手段、および
前記複数のスイッチの各々の状態に基づく処理を実行する第２処理手段を備え、
前記複数のスイッチの１つは前記長手方向のほぼ中央に配置され、他のスイッチが前記長手方向端部に配置される、入力処理装置。
【請求項２】
前記ラインセンサユニットは、前記検知領域の検知結果に基づいて指紋画像を作成する作成手段、および前記表面を滑る指紋の動き方向を検出する検出手段を含み、
前記第１処理手段は、前記作成手段によって作成された指紋画像に認証処理を施す認証処理手段、および前記検出手段の検出結果に応じた状態遷移を実行する状態遷移手段を含む、請求項１記載の入力処理装置。
【請求項３】
前記状態遷移手段は前記認証処理が成功したときに前記状態遷移を実行する、請求項２記載の入力処理装置。
【請求項４】
前記第２処理手段は前記認証処理が成功したときに前記複数のスイッチの各々に基づく処理を実行する、請求項１ないし３のいずれかに記載の入力処理装置。
【請求項５】
前記複数のスイッチは、前記長手方向のほぼ中央に配置される１つまたは２つのスイッチと前記長手方向の両端部に配置される２つのスイッチを含み、前記ラインセンサユニットの前記長手方向の中央を押し下げる中央押下操作をしたとき、３つまたは４つのスイッチが全てオンされ、前記ラインセンサユニットの前記長手方向の一方端部を押し下げる端押下操作をしたとき、押下げた端部に配置されている１つのスイッチだけがオンされる、請求項１ないし４のいずれかに記載の入力処理装置。
【請求項６】
前記長手方向のほぼ中央に２つのスイッチを配置するとき、前記２つのスイッチは前記長手方向と直行する方向に間隔を隔てて配置される、請求項５記載の入力処理装置。
【請求項７】
請求項１ないし６のいずれかに記載の入力処理装置を備える、携帯端末。
【発明の詳細な説明】
【技術分野】
【０００１】
この発明は、入力処理装置に関し、特にたとえば、指紋センサ付き携帯端末に適用され、指先の操作によって情報または指示を入力する、入力処理装置に関する。
【背景技術】
【０００２】
従来のこの種の装置の一例が、特許文献１に開示されている。この従来技術によれば、指紋センサ３は操作パネル２の中央に形成される。カーソル右ボタン４は指紋センサ３の右側に形成されるとともに、カーソル左ボタン５は指紋センサ３の左側に形成される。
【０００３】
指紋センサ３に含まれる指紋当接部３ａ１に指紋が当接されると、指紋画像合成部１２は回転角検出手段１１から出力される回転角信号と指紋読取手段１０で読み取られた指紋部分とを合成し、この結果、指紋全体の画像データが生成される。
【０００４】
また、指で回転ローラ３ａが押圧された状態で回転ローラ３ａが回されると、回転角検出手段１１から回転ローラ３ａの回転に応じた回転角信号が制御部１３に出力され、制御部１３はスクロール処理を実行する。つまり、上下方向のカーソル移動は回転ローラ３ａが上下方向に回ることで実現され、左右方向のカーソル移動はカーソル右ボタン４およびカーソル左ボタン５を押下することで実現される。これによって、多様な入力処理が可能になる。
【特許文献１】特開２００５−１１５８３６号公報[G06T 1/00,A61B 5/117,H04M 1/00]
【発明の開示】
【発明が解決しようとする課題】
【０００５】
しかし、従来技術で、多様な入力処理を実現するためには、指紋センサに加えてカーソル右ボタンおよびカーソル左ボタンを準備する必要がある。この結果、小型化が難しい。
【０００６】
それゆえに、この発明の主たる目的は、小型で多様な指示を入力できる、入力処理装置を提供することである。
【課題を解決するための手段】
【０００７】
請求項１の発明に従う入力処理装置は、長手方向に延びかつその表面上を滑る指紋を読取る線状の検知領域が形成されたラインセンサを含む平板状のラインセンサユニット、ラインセンサユニットを長手方向の両端で支持する、弾性を有する支持部材、ラインセンサユニットの下方において長手方向に配置され、支持部材の弾性に抗してラインセンサユニットが押し下げられたとき作動する複数のスイッチ、ラインセンサユニットの出力に基づく処理を実行する第１処理手段、および複数のスイッチの各々の状態に基づく処理を実行する第２処理手段を備え、複数のスイッチの１つは長手方向のほぼ中央に配置され、他のスイッチが長手方向端部に配置される。
【０００８】
ラインセンサは、長手方向に延びる線状の検知領域が形成された表面を有し、この表面を滑る指紋を読み取る。弾性を有する支持部材は、ラインセンサユニットを長手方向の両端で支持する。複数のスイッチは、ラインセンサユニットの下方において長手方向に配列される。各々のスイッチは、支持部材の弾性に抗してラインセンサユニットが押し下げられたとき作動する。第１処理手段はラインセンサユニットの出力に基づく処理を実行し、第２処理手段は複数のスイッチの各々の状態に応じた処理を実行する。
【０００９】
また、ラインセンサユニットを規定方向の両端で弾性体によって支持し、かつラインセンサユニットの下方において長手方向に複数のスイッチを配列することで、複数のスイッチの状態は、指の押圧力および押圧位置に依存する。第２処理手段は、指の押圧力および押圧位置に応じて異なる処理を実行することとなる。
【００１０】
この入力処理装置では、ラインセンサユニットの出力つまり表面を滑る指紋の動きに基づく第１処理手段の処理に加えて、指の押圧力および押圧位置に基づく第２処理手段の処理が実行される。これによって、小型でかつ多様な指示を入力することができる入力処理装置が実現される。
【００１１】
請求項２の発明に従う入力処理装置は、請求項１に従属し、ラインセンサユニットは、検知領域の検知結果に基づいて指紋画像を作成する作成手段、および表面を滑る指紋の動き方向を検出する検出手段を含み、第１処理手段は、作成手段によって作成された指紋画像に認証処理を施す認証処理手段、および検出手段の検出結果に応じた状態遷移を実行する状態遷移手段を含む。
を含む。
【００１２】
指紋画像は、検知領域の検知結果に基づいてラインセンサユニットに含まれる作成手段によって作成され、表面を滑る指紋の動き方向は、指紋センサに含まれる検出手段によって検出される。作成手段によって作成された指紋画像は、第１処理手段に含まれる認証処理手段によって認証処理を施され、検出手段の検出結果に応じた状態遷移は、第１処理手段に含まれる状態遷移手段によって実行される。これによって、多様な入力処理が可能となる。
【００１３】
請求項３の発明に従う入力処理装置は、請求項２に従属し、状態遷移手段は認証処理が成功したときに状態遷移を実行する。これによって、誤操作が防止される。
【００１４】
請求項４の発明に従う入力処理装置は、請求項１ないし３のいずれかに従属し、第２処理手段は認証処理が成功したときに複数のスイッチの各々に基づく処理を実行する。これによって、誤操作が防止される。
請求項５に従う入力処理装置は、請求項１ないし４のいずれかに従属し、複数のスイッチは、長手方向のほぼ中央に配置される１つまたは２つのスイッチと長手方向の両端部に配置される２つのスイッチを含み、ラインセンサユニットの長手方向の中央を押し下げる中央押下操作をしたとき、３つまたは４つのスイッチが全てオンされ、ラインセンサユニットの長手方向の一方端部を押し下げる端押下操作をしたとき、押下げた端部に配置されている１つのスイッチだけがオンされる。
請求項６に従う入力処理装置は、請求項５に従属し、長手方向のほぼ中央に２つのスイッチを配置するとき、２つのスイッチは長手方向と直行する方向に間隔を隔てて配置される。
【００１５】
請求項７の発明に従う携帯電話は、請求項１ないし６のいずれかに記載の入力処理装置を備える。
【発明の効果】
【００１６】
この発明によれば、この入力処理装置では、ラインセンサユニットの出力つまり表面を滑る指紋の動きに基づく第１処理手段の処理に加えて、指の押圧力および押圧位置に基づく第２処理手段の処理が実行される。これによって、小型でかつ多様な指示を入力することができる入力処理装置が実現される。
【００１７】
この発明の上述の目的，その他の目的，特徴および利点は、図面を参照して行う以下の実施例の詳細な説明から一層明らかとなろう。
【発明を実施するための最良の形態】
【００１８】
図１を参照して、この実施例の携帯端末１０は、アンテナ１２を含む。相手方から送られてきた変調音声信号（高周波信号）は、アンテナ１２によって捉えられ、無線回路１４によって復調処理を施されるとともに、信号処理回路１６によって復号処理を施される。信号処理回路１６によって復号された音声データは、ＡＤ／ＤＡ変換回路２０によってアナログ音声信号に変換され、変換された音声信号は、アンプ２２を介してスピーカ２４から出力される。着呼操作つまり操作パネル４０に形成された着信ボタンを押下する操作が行われると、通話可能状態となる。
【００１９】
一方、操作パネル４０によって通話のための発呼操作が行われると、ＣＰＵ１８は、信号処理回路１６，無線回路１４およびアンテナ１２を通して、発呼信号を図示しない相手方の携帯端末に送信する。これに対して、相手方が着信操作を行うと、通話可能状態となる。
【００２０】
通話可能状態となった後にマイクロフォン２６によって取り込まれた音声信号は、アンプ２８によって増幅され、ＡＤ／ＤＡ変換回路２０によってディジタル信号である音声データに変換される。変換された音声データは、信号処理回路１６によって符号化処理を施され、さらに無線回路１４によって変調処理を施される。無線回路１４によって生成された変調音声信号は、アンテナ１２から発信される。
【００２１】
このようにして相手方との間で通話が行われている最中に、操作パネル４０によって通話終了操作が行われると、ＣＰＵ１８は、信号処理回路１６および無線回路１４を制御して、相手方に通話終了信号を送信する。通話終了信号の送信後、ＣＰＵ１８は通話処理を終了する。また、先に相手方から通話終了信号を受信した場合も、ＣＰＵ１８は通話処理を終了する。こうして、通話機能が実現される。
【００２２】
撮影操作つまり操作パネル４０に形成された撮影ボタンを押下する操作が行われると、ＣＰＵ１８はカメラ３４を起動する。カメラ３４によって捉えられた被写界像は、カメラ処理回路３６によってディジタル信号である動画像データに変換される。変換された動画像データは、ＣＰＵ１８を介してＬＣＤドライバ３０に与えられ、ＬＣＤドライバ３０は与えられた動画像データをＮＴＳＣ方式に従うコンポジットビデオ信号に変換する。変換されたコンポジットビデオ信号はＬＣＤモニタ３２に与えられ、この結果、被写界のリアルタイム動画像（スルー画像）がＬＣＤモニタ３２に表示される。
【００２３】
図２によれば、この実施例の携帯端末１０は、上部筐体５０，下部筐体５２，ヒンジ機構５４によって構成される。上部筐体５０および下部筐体５２はヒンジ機構５４によって互いに連結され、開閉動作が可能となる。下部筐体５２には、マイクロフォン２６，操作パネル４０，および入力装置４２が設けられる。
【００２４】
入力装置４２は、図３（Ａ）および図３(Ｂ)に示すように、ラインセンサユニット４４，支持部材４６ａおよび４６ｂ，およびドームスイッチ４８ａ〜４８ｃによって構成される。ラインセンサユニット４４は、左右方向に延びる線状の検知領域が形成されたラインセンサ４４ａを有し、このラインセンサ４４ａを滑る指紋を読み取る。弾性を有する支持部材４６ａおよび４６ｂは、ラインセンサユニット４４を左右方向の両端で支持する。ドームスイッチ４８ａ〜４８ｃは、ラインセンサユニット４４の裏側に対応して左右方向に配列される。各々のドームスイッチ４８ａ〜４８ｃは、ラインセンサユニット４４の裏面の接触に応じてオン状態とオフ状態との間で遷移する。
【００２５】
図４によれば、電源が投入されると、ＣＰＵ１８は指紋取得回路４４ｂを起動させる。なお、動き検出回路４４ｃは電源の投入とともに起動するが、指紋検出回路４４ｂの起動中での動き検出回路４４ｃから与えられる動き情報は、ＣＰＵ１８によって無効化される。
【００２６】
指紋がラインセンサ４４ａを上下方向に滑ると、ラインセンサ４４ａは検知領域で読み取った画像の各々を指紋取得回路４４ｂに与える。指紋取得回路４４ｂは、与えられた画像を合成し、こうして作成された合成画像をディジタルデータに変換し、変換されたディジタルデータはＣＰＵ１８に出力される。ＣＰＵ１８は、出力されたディジタルデータに認証処理を施す。認証処理の処理結果が成功すれば、ＣＰＵ１８は、指紋検出回路４４ｂを停止する一方、動き検出回路４４ｃから与えられる動き情報を受け付けるとともに、ドームスイッチ４８ａ〜４８ｃからの押下情報を受け付ける。なお、ドームスイッチ４８ａ〜４８ｃから出力される押下情報は、後述で説明する。
【００２７】
ここで、ラインセンサ４４ａで指紋を動かす操作は“スクロール操作”と定義し、ラインセンサ４４ａを押下する操作は“押下操作”と定義する。なお、押下操作は、中央押下操作，左押下操作および右押下操作によって構成される。左押下操作はラインセンサ４４ａの左側を押下する操作であり、中央押下操作はラインセンサ４４ａの中央を押下する操作であり、そして右押下操作はラインセンサ４４ａの右側を押下する操作である。また、スクロール操作は、右スクロール操作，左スクロール操作，上スクロール操作および下スクロール操作によって構成される。右スクロール操作はラインセンサ４４ａで左から右に指紋を滑らせる操作であり、左スクロール操作はラインセンサ４４ａで右から左に指紋を滑らせる操作であり、上スクロール操作つまりラインセンサ４４ａ上で下から上に指紋を滑らせる操作であり、そして下スクロール操作つまりラインセンサ４４ａ上で上から下に指紋を滑らせる操作である。
【００２８】
右スクロール操作が行われると、動き検出回路４４ｃは、ラインセンサ４４ａで左から右に滑らされた指紋の動きを検出し、こうして検出された動き情報に基づいて指紋が左から右へ遷移さされた旨の通知をＣＰＵ１８に与える。ＣＰＵ１８は、こうして得られた通知が実行可能か否か判別し、実行可能であれば、この指示に従う処理を行う。なお、左スクロール操作，上スクロール操作および下スクロール操作が行われると、上述と同様の処理が実行される。
【００２９】
一方、中央押下操作が行われると、ラインセンサユニット４４の全体が沈み、ラインセンサユニット４４の裏側に配列されたドームスイッチ４８ａ〜４８ｃの全てが押圧される。ドームスイッチ４８ａ〜４８ｃはそれぞれ、オフ状態からオン状態に遷移し、ディジタル信号の“１”を出力する。この結果、押下情報“１１１”がＣＰＵ１８に入力される。
【００３０】
押下情報“１１１”が入力されると、ＣＰＵ１８はラインセンサ４４ａの中央が押下されたと判断し、この指示に従う処理が実行可能か否かを判別し、実行可能であれば、この指示に従う処理を行う。
【００３１】
また、ラインセンサ４４ａから指が離れると、ラインセンサユニット４４がドームスイッチ４８ａ〜４８ｃの全ての反発力によって押し上げられ、ラインセンサユニット４４は元の位置に戻される。ドームスイッチ４８ａ〜４８ｃはそれぞれ、オン状態からオフ状態に遷移し、ディジタル信号の“０”を出力する。押下情報“０００”がＣＰＵ１８に入力されると、ＣＰＵ１８はラインセンサ４４ａから指が離れたと判断する。
【００３２】
左押下操作が行われると、ラインセンサユニット４４の左側は左押下操作によって沈み、ラインセンサユニット４４の左裏側に配列されたドームスイッチ４８ａが押圧される。ドームスイッチ４８ａは、オフ状態からオン状態に遷移し、ディジタル信号の“１”を出力する。この結果、押下情報“１００”がＣＰＵ１８に入力される。
【００３３】
押下情報“１００”がＣＰＵ１８に入力されると、ＣＰＵ１８はラインセンサ４４ａの左側が押下されたと判断し、この指示に従う処理が実行可能か否かを判別し、実行可能であれば、この指示に従う処理を行う。
【００３４】
また、ラインセンサ４４ａから指が離れると、ラインセンサユニット４４がドームスイッチ４８ａの反発力によって押し上げられ、ラインセンサユニット４４は元の位置に戻される。ドームスイッチ４８ａは、オン状態からオフ状態に遷移し、ディジタル信号の“０”を出力する。押下情報“０００”がＣＰＵ１８に入力されると、ＣＰＵ１８はラインセンサ４４ａから指が離れたと判断する。
【００３５】
なお、ラインセンサユニット４４の右側は弾性の支持部材４６ｂによって変位せず、入力装置４２に左押下操作が行われてもドームスイッチ４８ｂおよび４８ｃは押圧されない。
【００３６】
右押下操作が行われると、上述と同様の処理が実行される。
【００３７】
このように、この入力処理装置４２では、動き検出回路４４ｃによって検出される動き情報に基づくＣＰＵ１８の処理に加えて、指の押圧力および押圧位置に基づくＣＰＵ１８の処理が実行される。これによって、小型でかつ多様な指示を入力できる入力装置が実現される。
【００３８】
ＣＰＵ１８の指示に従う処理について、図５（Ａ）〜図５（Ｅ）および図６（Ａ）〜図６（Ｈ）を用いて具体的に説明する。待ち受け画面（図５（Ａ）参照）がＬＣＤモニタ３２に表示されているとき、右スクロール操作が行われると、メインメニュー(図５（Ｂ）参照)がＬＣＤモニタ３２に表示される。図５（Ｂ）に示す“基本設定”上にカーソルＣがあるとき、上スクロール操作が行われると、カーソルＣは“カメラ”上に遷移し（図５(Ｃ)参照）、下スクロール操作が行われると、“データフォルダ”上に遷移する（図５(Ｄ)参照）。また、図５（Ｂ）に示す“基本設定”上にカーソルＣがあるとき、右スクロール操作が行われると、基本設定（図５（Ｅ））がＬＣＤモニタ３２に表示され、左スクロール操作が行われると、メインメニュー(図５（Ｂ）参照)がＬＣＤモニタ３２に表示される。
【００３９】
この実施例の携帯端末１０は、複数のモードによって構成される音楽機能を有する。再生モード中（図６（Ａ）参照）に右スクロール操作が行われると、音楽機能のうち早送りモード（図６（Ｂ）参照）が実行され、中央押下操作が行われると、再生モード（図６（Ａ）参照）が再び実行される。再生モード中（図６（Ａ）参照）に左スクロール操作が行われると、音楽機能のうち巻き戻しモード（図６（Ｃ）参照）が実行され、中央押し操作が行われると、再生モード（図６（Ａ）参照）が再び実行される。再生モード中（図６（Ａ）参照）に上スクロール操作が行われると、音楽機能のうち音量を一段階上げる処理（図６（Ｄ）参照）が行われ、中央押し操作が行われると、再生モード（図６（Ａ）参照）が再び実行される。再生モード中（図６（Ａ）参照）に下スクロール操作が行われると、音楽機能のうち音量を一段階下げる処理（図６（Ｅ）参照）が行われ、中央押し操作が行われると、再生モード（図６（Ａ）参照）が再び実行される。再生モード中（図６（Ａ）参照）に右押下操作が行われると、音楽機能のうち前方スキャンモード（図６（Ｆ）参照）が実行され、中央押し操作が行われると、再生モード（図６（Ａ）参照）が再度実行される。再生モード中（図６（Ａ）参照）に左押下操作が行われると、音楽機能のうち後方スキャンモード（図６（Ｇ）参照）が実行され、中央押し操作が行われると、再生モード（図６（Ａ）参照）が再び実行される。再生モード中（図６（Ａ）参照）に中央押し操作が行われると、音楽機能のうち一時停止モード（図６（Ｈ）参照）が実行され、一時停止中に中央押し操作が行われると、再生モード（図６（Ａ）参照）が再び実行される。
【００４０】
ＣＰＵ１８は、μＩＴＲＯＮのようなマルチタスクＯＳを搭載したマルチタスクＣＰＵであり、携帯端末１０の入力処理に関連して、図７および図８に示すフロー図の制御を実行する。なお、携帯端末１０に関連するフロー図の制御プログラムは、フラッシュメモリ３８に記憶される。
【００４１】
図７によれば、ステップＳ１で電源が投入されるまで待機する。電源が投入されると、ステップＳ３では指紋取得回路４４ｂからディジタルデータが入力されるまで待機する。このとき、指紋取得回路４４ｂが起動し、指紋取得回路４４ｂはラインセンサ４４ａの検知領域の検知結果に基づいて指紋画像を作成する。入力装置４２からディジタルデータが入力されると、ステップＳ５で、このディジタルデータに認証処理を施す。このとき、予めフラッシュメモリ３８に登録された承認データを読み出し、この承認データに基づいて入力装置４２から入力されたディジタルデータを認証する。
【００４２】
ステップＳ７では、認証処理の結果に基づいてこの携帯電話１０の使用を許可すべきか否かを判別する。認証処理の結果が失敗であれば、この形態電話１０の使用を許可できないと判断され、ステップＳ９に進む。
【００４３】
一方、認証処理の結果が成功であれば、この携帯電話の使用を許可すると判断し、ステップＳ１３に進む。このとき、指紋取得回路４４ｂを停止させる一方、動き検出回路４４ｃの動き情報を受け付けるともに、ドームスイッチ４８ａ〜４８ｃの押下情報を受け付ける。
【００４４】
ステップＳ９では、ＬＣＤモニタ３２にログインエラー画面を表示し、ステップＳ１１で電源オフされたか否かを判別する。判別結果がＮＯであればステップＳ３に戻り、判別結果がＹＥＳであればこの処理を終える。
【００４５】
ステップＳ１３では、動き情報が与えられたか否かを判別する。判別結果がＮＯであればステップＳ２１に進む一方、判別結果がＹＥＳであればステップＳ１７で動き情報に対応する処理は実行可能であるか否かを判別する。実行可能であればステップＳ１９で動き情報に応じた状態遷移を実行し、実行不可能であればステップＳ１５に戻る。
【００４６】
ステップＳ２１では、押下情報が入力されたか否かを判別する。判別結果がＮＯであればステップＳ１５に進み、判別結果がＹＥＳであればステップＳ２３で押下情報に対応する処理は実行可能であるか否かを判別する。実行可能であればステップＳ２５で押下情報に応じた処理を実行し、実行不可能であればステップＳ１５に戻る。
【００４７】
なお、この実施例では、図５（Ａ）から図５（Ｂ）への画面遷移と図５（Ｂ）から図５（Ｅ）への画面遷移とは、右スクロール操作によって行われると説明したが、これに限らず、右押下操作や中央押下操作を採用しても良い。
【００４８】
また、この実施例では、図３（Ａ）および図３（Ｂ）に示すように、ドームスイッチ４８ａ〜４８ｃはリニアセンサユニット４４の裏面に対応して左右方向に配列されると説明したが、これに限らず、４つのドームスイッチ４８ｄ〜４８ｇがリニアセンサユニット４４の裏面に図９（Ａ）および図９（Ｂ）に示すような菱形状に配置しても良い。この結果、左右方向と左右方向に直行する上下方向との押下操作の認識が可能となる。これによって、操作性が向上する。
【図面の簡単な説明】
【００４９】
【図１】図１実施例の内部構成の一例を示すブロック図である。
【図２】この発明の一実施例の内面の構成を示す図解図である。
【図３】図１実施例に適用される入力装置４２の構成の一例を示す図解図であり、（Ａ）は上面図であり、（Ｂ）は正面図である。
【図４】図１実施例に適用されるラインセンサユニット４４の内部構成の一例を示すブロック図である。
【図５】（Ａ）は図１に適用されるＬＣＤモニタ３２の動作の一例を示す図解図であり、（Ｂ）は図１に適用されるＬＣＤモニタ３２の他の一例を示す図解図であり、（Ｃ）は図１に適用されるＬＣＤモニタ３２のその他の一例を示す図解図であり、（Ｄ）は図１に適用されるＬＣＤモニタ３２のまたその他の一例を示す図解図であり、そして（Ｅ）は図１に適用されるＬＣＤモニタ３２のさらにその他の一例を示す図解図である。
【図６】（Ａ）は図１に適用されるＬＣＤモニタ３２の動作の一例を示す図解図であり、（Ｂ）は図１に適用されるＬＣＤモニタ３２の他の一例を示す図解図であり、（Ｃ）は図１に適用されるＬＣＤモニタ３２のその他の一例を示す図解図であり、（Ｄ）は図１に適用されるＬＣＤモニタ３２のまたその他の一例を示す図解図であり、（Ｅ）は図１に適用されるＬＣＤモニタ３２のさらにその他の一例を示す図解図であり、（Ｆ）は図１に適用されるＬＣＤモニタ３２の他の一例を示す図解図であり、（Ｇ）は図１に適用されるＬＣＤモニタ３２のその他の一例を示す図解図であり、そして（Ｈ）は図１に適用されるＬＣＤモニタ３２のさらにその他の一例を示す図解図である。
【図７】図１実施例に適用されるＣＰＵ１８の動作の一部を示すフロー図である。
【図８】図１実施例に適用されるＣＰＵ１８の他の動作の一部を示すフロー図である。
【図９】図１実施例に適用される入力装置４２の構成の他の一例を示す図解図であり、（Ａ）は上面図であり、（Ｂ）は正面図である。
【符号の説明】
【００５０】
１０  …  携帯端末
１８  …  ＣＰＵ
３２  …  ＬＣＤ
４０  …  操作パネル
４２  …  入力装置
４４  …  ラインセンサユニット
４４ａ  …  ラインセンサ
４６ａ，４６ｂ  …  支持部材
４８ａ〜４８ｇ  …  ドームスイッチ
【図１】
0004731289.tif 000002
【図２】
0004731289.tif 000003
【図３】
0004731289.tif 000004
【図４】
0004731289.tif 000005
【図５】
0004731289.tif 000006
【図６】
0004731289.tif 000007
【図７】
0004731289.tif 000008
【図８】
0004731289.tif 000009
【図９】
0004731289.tif 000010